(57)【要約】【課題】用紙に形成された画像を検査する際の負担を減らせるようにする。【解決手段】画像形成部で画像が形成された用紙を読み取るスキャナ部と、スキャナ部で読み取った画像の解析で検査を行う検査部と、検査部での検査を制御する制御部とを備える。制御部は、検査部での検査が、既に検査された用紙に対する再検査であるとき、１回目の検査と異なる検査を実行するようにした。【選択図】図１
2020040346.tif 000002
【特許請求の範囲】
【請求項１】
搬送される用紙に画像を形成する画像形成部と、
前記画像形成部で画像が形成された用紙を読み取るスキャナ部と、
前記スキャナ部で読み取った画像を解析して検査を行う検査部と、
前記検査部での検査を制御し、前記検査部での検査が、既に検査された用紙に対する再検査であるとき、１回目の検査と異なる検査を実行する制御部と、を備える
画像形成装置。
【請求項２】
前記検査部での検査履歴を表示する表示部と、
前記表示部が表示した検査履歴から検査済みジョブの再検査の実行を選択する操作部とをさらに備え、
前記制御部は、前記操作部で検査済みジョブの再検査の実行が選択されたとき、所定のトレイに装着された用紙に対して、前記画像形成部での画像形成を行うことなく、前記スキャナ部での読み取りと、読み取った画像の前記検査部での検査を行うように制御する
請求項１に記載の画像形成装置。
【請求項３】
前記制御部は、既に検査された用紙に対する再検査であるとき、前記検査部により、用紙の周辺領域のみの検査を実行する
請求項１に記載の画像形成装置。
【請求項４】
前記検査部での検査履歴を表示する表示部と、
前記表示部に表示された検査履歴から検査済みジョブの再検査の実行を選択する操作部とをさらに備え、
前記制御部は、前記操作部で検査済みジョブの再検査の実行が選択され、選択されたジョブが断裁マークを有する用紙の再検査であるとき、前記検査部により、前記断裁マークが配置された用紙の周辺領域のみの検査を実行する
請求項３に記載の画像形成装置。
【請求項５】
前記制御部は、再検査の結果を表示する際に、１回目の検査履歴についても前記表示部に表示する
請求項４に記載の画像形成装置。
【請求項６】
前記制御部は、前記画像形成部を通過しない用紙に対する検査の指示があるとき、前記検査部で、用紙の周辺領域のみの検査を実行する
請求項１に記載の画像形成装置。
【請求項７】
画像形成処理により画像が形成された用紙を読み取り、読み取った画像の解析で検査を行う検査処理と、
前記検査処理での検査が、既に検査された用紙に対する再検査であるとき、１回目の検査と異なる検査を実行させる制御処理と、を含む
画像形成方法。
【請求項８】
用紙に形成された画像の検査を行う手順をコンピュータに実行させるプログラムにおいて、
画像が形成された用紙を読み取り、読み取った画像の解析で検査を行う検査手順と、
前記検査手順での検査が、既に検査された用紙に対する再検査であるとき、１回目の検査と異なる検査を実行する制御手順と、を有する
プログラム。
【発明の詳細な説明】
【技術分野】
【０００１】
本発明は、用紙に画像を形成する画像形成装置、画像形成方法およびプログラムに関し、特に画像形成に検査を行う技術に関する。
【背景技術】
【０００２】
用紙に画像を形成して印刷物を得る画像形成装置として、用紙に画像を形成した印刷物に不良がないか否かを検査する検査機能（検品機能）を備えたものがある。
検査機能としては、画像形成装置で形成された画像そのものに汚れなどの不良がないかを検査する機能と、用紙の断裁などが適正に行われているかを検査する機能などがある。
【０００３】
用紙の断裁を検査する機能については、例えば用紙の四隅のコーナーに印刷された断裁マークが残っているか否かを検査し、用紙に断裁マークが残っていたとき、断裁が適正に行われていないと判断するものである。但し、断裁マークをあえて残す切り方もあり、印刷物の設定によって、検査時に判断する内容が異なる。
【０００４】
画像そのものに不良がないかを判断する検査時には、例えば予め用意された正解画像と、画像形成が行われた用紙をスキャンした画像とを比較して、一致しない場合に、汚れや印刷不良などが発生したと判断する処理が行われる。
【０００５】
特許文献１には、画像形成装置で用紙に形成された画像を検査する際に、検査用画像の周囲に原稿外領域を付加して、検査用画像の所定の画素値の領域を原稿外領域として、原稿外領域としての検査を行う技術が記載されている。
特許文献１に記載された技術によると、断裁マークなどの原稿外の領域の検査を行うことができる。
【先行技術文献】
【特許文献】
【０００６】
【特許文献１】特開２０１３−１６６５５６号公報
【発明の概要】
【発明が解決しようとする課題】
【０００７】
画像形成装置が印刷物の検査を行う際に行う画像の内容の検査は、予め用意された正解画像と印刷された画像とを画素単位で比較するものであるため、比較的時間がかかる処理であり、検査装置としての負担も大きいという問題があった。
【０００８】
一方、画像形成装置が検査を行う際には、用紙への画像形成を行う工程と、その画像形成工程に続いて行われる用紙の断裁などの後処理工程とを行った後に、検査工程を行う場合と、既に画像が形成された用紙に後処理工程だけを行って検査工程を行う場合とがある。
ここで、従来の画像形成装置は、検査工程時に検査装置に搬送された用紙が、どのような工程を経て搬送された用紙であっても、画像の内容の検査と、断裁マークなどの用紙の状態の検査の双方を行うようにされていた。
【０００９】
したがって、従来の画像形成装置では、検査対象の印刷物がどのような工程を経て検査装置に供給される場合でも、画像内容の検査と、用紙の状態の検査の双方が実施されるため、検査装置としての負担が大きいという問題があった。
【００１０】
本発明は、画像検査を行う際の負担を減らすことができる画像形成装置、画像形成方法およびプログラムを提供することを目的とする。
【課題を解決するための手段】
【００１１】
本発明の画像形成装置は、搬送される用紙に画像を形成する画像形成部と、画像形成部で画像が形成された用紙を読み取るスキャナ部と、スキャナ部で読み取った画像の解析で検査を行う検査部と、検査部での検査を制御し、検査部での検査が既に検査された用紙に対する再検査であるとき、１回目の検査と異なる検査を実行させる制御部と、を備える。
【００１２】
また、本発明の画像形成方法は、画像形成処理により画像が形成された用紙を読み取り、読み取った画像を解析して検査を行う検査処理と、検査処理での検査が、既に検査された用紙に対する再検査であるとき、１回目の検査と異なる検査を実行する制御処理と、を含む。
【００１３】
また、本発明のプログラムは、上述した画像形成方法が備える各処理を実行する手順を有するプログラムである。
【発明の効果】
【００１４】
本発明によると、画像形成装置で画像形成を行って一度検査を行った用紙については、１回目の検査と異なる検査を行うようにすることで、検査時の負担を少なくすることが可能になる。例えば、２回目の検査では、既に行われた画像形成状態についての検査を省略して、周辺領域などの一部の検査だけでよくなる。
【図面の簡単な説明】
【００１５】
【図１】本発明の一実施の形態例による装置例を示す構成図である。
【図２】本発明の一実施の形態例による画像形成装置の内部構成例を示すブロック図である。
【図３】本発明の一実施の形態例による検査部の内部構成例を示すブロック図である。
【図４】本発明の一実施の形態例による検査処理例を示すフローチャートである。
【図５】本発明の一実施の形態例による断裁にてカットされる箇所と、断裁マークの例を示す説明図である。
【図６】本発明の一実施の形態例によるジョブリストの例を示す図である。
【図７】本発明の一実施の形態例による検査処理例（変形例１）を示すフローチャートである。
【図８】本発明の一実施の形態例によるジョブリストの例（変形例２）を示す図である。
【図９】本発明の一実施の形態例によるジョブリスト（変形例２の再検査後）の例を示す図である。
【図１０】本発明の一実施の形態例による検査結果の表示例（変形例３）を示す図である。
【図１１】本発明の一実施の形態例によるトレイ選択画面の例（変形例４）を示す図である。
【発明を実施するための形態】
【００１６】
以下、本発明の一実施の形態例（以下、「本例」と称する）を、添付図面を参照して説明する。
【００１７】
［１．システム構成例］
図１は、本例の画像形成システムの構成例を示す。
本例の画像形成システムは、画像形成装置の本体１０と、その本体１０に接続された各機器とを備える。本体１０に接続された機器としては、給紙部２０、後処理部３０、検査部４０、および排紙部５０を備える。
給紙部２０は、複数の給紙トレイを備え、本体１０に用紙を搬送する。本体１０には、プリンタ部５００が内蔵され、給紙部２０から搬送された用紙に対して画像形成を行う。また、給紙部２０には、原稿送りをするＡＤＦ部（Auto Document Feeder）３００と、操作表示部４００とが接続されている。
【００１８】
本体１０内のプリンタ部５００で画像が形成された用紙は、後処理部３０に搬送される。後処理部３０では、搬送された用紙に対して、予め指示された後処理が行われる。後処理部３０が行う後処理としては、紙折り処理、紙綴じ処理、断裁処理などの様々な処理がある。なお、後処理部３０には、画像形成装置の本体１０を経由せずに直接、後処理部３０に用紙を給紙する給紙トレイ３１を備える。
【００１９】
後処理部３０で後処理が行われた用紙は、検査部４０に供給される。なお、本体１０から後処理部３０を経由して検査部４０に供給される用紙には、後処理部３０での後処理が何も実行されずに供給される場合もある。
検査部４０では、供給される用紙に形成された画像などの検査を行う。検査部４０を通過した用紙は、排紙部５０に用意された排紙トレイ５１、５２に排紙される。排紙トレイ５１は、検査部４０での検査で良品と判断された用紙が排紙されるトレイであり、排紙トレイ５２は、検査部４０での検査で異常があると判断された用紙が排紙されるトレイである。
【００２０】
図２は、画像形成装置の要部の制御ブロック図である。
本体１０は、制御部１００と、スキャナ部２００と、操作表示部４００と、プリンタ部５００と、画像処理部６００とを備えて構成される。
【００２１】
制御部１００は、画像制御ＣＰＵ（Central Processing Unit）１０１、ＲＯＭ（Read Only Memory）１０２、ＲＡＭ（Random Access Memory）１０３、読込処理部１０５、書込処理部１０６、ＤＲＡＭ（Dynamic Random Access Memory）制御部１０７、圧縮部１０８、伸張部１０９、および画像メモリ１１０を備えて構成される。
【００２２】
画像制御ＣＰＵ１０１は、ＲＯＭ１０２に記憶されているシステムプログラムや画像形成処理プログラム、排紙処理プログラム等の各種処理プログラムを読出してＲＡＭ１０３に展開し、展開したプログラムに従って画像形成装置や周辺機器の各部の動作を制御する。
【００２３】
例えば、画像制御ＣＰＵ１０１は、スキャナ部２００または画像処理部６００から入力された画像情報と、制御部１００に接続された操作表示部４００を介して入力された設定情報とに基づいて印刷用のジョブを生成する。そして、このジョブを実行することで用紙に画像を形成する。ここで、ジョブとは、画像形成に関する一連の動作を指し、例えば、所定枚数の原稿からなる複写物を作成する場合には、所定枚数の原稿の画像形成に関する一連の動作が１ジョブである。
【００２４】
ＲＯＭ１０２は、半導体メモリ等の不揮発性メモリ等により構成され、画像形成装置に対応するシステムプログラムおよび該システムプログラム上で実行可能な画像形成処理プログラム、排紙処理プログラム等の各種処理プログラム等が記憶されている。これらのプログラムは、コンピュータが読取り可能なプログラムコードの形態で格納され、画像制御ＣＰＵ１０１は、当該プログラムコードに従った動作が逐次実行される。
【００２５】
ＲＡＭ１０３は、画像制御ＣＰＵ１０１により実行される各種プログラムおよびこれらプログラムに係るデータを一時的に記憶するワークエリアを形成し、ジョブキュー、各種動作設定等を記憶する。
【００２６】
読込処理部１０５は、スキャナ部２００から入力されたアナログ画像信号に、アナログ信号処理、Ａ／Ｄ変換処理、シェーディング処理等の各種処理を施し、ディジタル画像データを生成し、圧縮部１０８に出力する。
書込処理部１０６は、伸張部１０９から入力される画像データに基づいてＰＷＭ(Pulse Width Modulation)信号を生成し、プリンタ部５００へ出力する。
【００２７】
ＤＲＡＭ制御ＩＣ１０７は、画像制御ＣＰＵ１０１からの制御に基づいて、圧縮部１０８による画像データの圧縮処理、及び伸張部１０９による圧縮データの伸張処理を制御するとともに、画像メモリ１１０における画像データの入出力制御を行う。例えば、スキャナ部２００により読取られた画像データの保存が指示されると、ＤＲＡＭ制御ＩＣ１０７は、読込処理部１０５から入力された画像データの圧縮処理を圧縮部１０８に実行させて、圧縮画像データを画像メモリ１１０の圧縮メモリ１１１に記憶する。
【００２８】
また、圧縮メモリ１１１に記憶された圧縮画像データの画像形成が指示されると、ＤＲＡＭ制御部１０７は、圧縮メモリ１１１から圧縮画像データを読出し、伸張部１０９で伸張処理を実行させてページメモリ１１２に記憶する。さらに、ＤＲＡＭ制御部１０７は、ページメモリ１１２に記憶された画像データを読出して書込処理部１０６に出力する。
【００２９】
圧縮部１０８は、ＤＲＡＭ制御部１０７の制御により、入力された画像データに圧縮処理を施す。
伸張部１０９は、ＤＲＡＭ制御部１０７の制御により、入力される圧縮画像データに伸張処理を施す。
【００３０】
画像メモリ１１０は、例えば、揮発性メモリであるＤＲＡＭで構成され、圧縮メモリ１１１、ページメモリ１１２を有する。圧縮メモリ１１１は、圧縮画像データを記憶するためのメモリであり、ページメモリ１１２は画像形成前に画像形成に係る被圧縮画像データを一時的に格納するためのメモリである。
【００３１】
スキャナ部２００は、ＣＣＤ２０１等のイメージセンサーと、スキャナ制御部２０２と、を備える。スキャナ制御部２０２は、画像制御ＣＰＵ１０１からの制御信号に基づいて、スキャナ部２００の各部を駆動制御する。具体的には、コンタクトガラスに載置された原稿面の露光走査を実行し、反射光をＣＣＤ２０１で結像して画像を読取る。そして、この結像された光信号を光電変換してアナログ画像信号を生成し、読込処理部１０５へ出力する。
【００３２】
操作表示部４００は、ＬＣＤ（Liquid Crystal Display）４０１と、操作表示制御部４０２と、その他図示しない操作キー群、タッチパネルとを備えて構成される。
ＬＣＤ４０１は、操作表示制御部４０２からの表示制御信号に従って、画面上に各種設定画面や画像の状態表示、各機能の動作状況等の表示を行う。また、ＬＣＤ４０１の画面上には、透明電極を格子状に配置した感圧式（抵抗膜圧式）のタッチパネルが構成されており、手指やタッチペン等で操作された力点のＸＹ座標を電圧値で検出し、検出された位置信号を操作信号として操作表示制御部４０２に出力する。
【００３３】
操作表示制御部４０２は、画像制御ＣＰＵ１０１からの制御信号に基づいて、ＬＣＤ４０１における表示制御を行う。例えば、画像形成処理に用いる用紙についての各種設定画面や、各種処理結果等をＬＣＤ４０１に表示する。また、操作表示制御部４０２は、ＬＣＤ４０１上のタッチパネル又は操作キー群から入力された操作信号を画像制御ＣＰＵ１０１に出力する。
【００３４】
ユーザは、操作表示部４００のＬＣＤ４０１により、画像形成処理のプリント条件を入力するための基本画面や、画像形成装置に予約されたジョブの一覧表などの閲覧が可能である。そして、ユーザは、ＬＣＤ４０１上のタッチパネル等を操作することにより、画像形成処理にかかる各種の設定を、所望の設定に変更することができる。
【００３５】
プリンタ部５００は、画像形成部に相当し、ＬＤ部（Laser Diode）５０１と、プリンタ制御部５０２とを備え、書込処理部１０６から入力された画像データに基づいて用紙に画像を形成する。
【００３６】
ＬＤ部５０１は、ＬＤ、感光体ドラム、帯電部、露光部、現像部、転写部、クリーニング部、及び定着部等を備える。また、ＬＤ部５０１は、ＬＤ部５０１内の搬送経路に従って用紙を搬送するための給紙ローラ、レジストローラ、排紙ローラ等の各種ローラ、搬送路切替板、および反転部等を備える。ＬＤ部５０１の搬送部は、プリンタ制御部５０２からの制御に基づいて、当該ジョブで指定された用紙を給紙トレイから給紙して、給紙された用紙を搬送経路上に搬送する。
【００３７】
また、ＬＤ部５０１の搬送経路上には、複数のセンサが設けられている。これらのセンサは、用紙が通過する際に検出信号を発生し、これをプリンタ制御部５０２に出力する。
【００３８】
プリンタ制御部５０２は、画像制御ＣＰＵ１０１からの制御信号を受信して、ＬＤ部５０１の各部の動作を制御する。また、プリンタ制御部５０２は、搬送経路上に設けられたセンサからの検出信号に基づいて、ジョブ毎に給紙した用紙の枚数をカウントし、画像制御ＣＰＵ１０１に出力する。
【００３９】
プリンタ部５００では、プリンタ制御部５０２からの指示に基づいて、感光体ドラム表面を帯電部により帯電し、書込処理部１０６から入力されたＰＷＭ信号に基づいてＬＤにより感光体ドラム表面にレーザ光を照射することにより静電潜像を形成する。そして、現像部において感光体ドラム表面の静電潜像を含む領域にトナーを付着させ、転写部により用紙にトナーを転写して画像を形成する。そして、転写された画像を定着部で定着した後、画像形成済みの用紙を排紙ローラにより後処理部３０へ搬送する。
【００４０】
画像処理部６００は、コントローラ制御部６０１、ＤＲＡＭ制御部６０２、画像メモリ６０３、ＬＡＮインタフェース６０４、ハードディスクドライブ（ＨＤＤ：hard disk drive）６０５等で構成される。
コントローラ制御部６０１は、各部の動作を統括的に制御し、ＬＡＮインタフェース６０４を介して、外部の情報端末６０から入力されるデータをジョブとして、制御部１００に配信する。
【００４１】
ＤＲＡＭ制御部６０２は、ＬＡＮインタフェース６０４により受信されたデータの画像メモリ６０３への格納や、画像メモリ６０３からのデータの読出しを制御する。また、ＤＲＡＭ制御部６０２は、制御部１００のＤＲＡＭ制御部１０７とバスで接続されており、コントローラ制御部６０１からの指示に従って、画像形成対象のデータを画像メモリ６０３から読出してＤＲＡＭ制御部１０７に出力する。
【００４２】
画像メモリ６０３は、ＤＲＡＭから構成され、この画像メモリ６０３に入力されたデータが一時的に格納される。
ＬＡＮインタフェース６０４は、ネットワークに接続するための通信インタフェースであり、情報端末６０からネットワークを介して画像情報、ジョブ等を受信し、ＤＲＡＭ制御部６０２に出力する。
ＨＤＤ６０５には、画像情報やジョブの詳細が記憶される。なお、ＨＤＤ６０５は、制御部１００のデータ記憶部としても使用される。
【００４３】
図３は、図１に示す検査部４０の構成を示す。
検査部４０は、ＬＡＮインタフェース７０１、検査制御部７０２、スキャナ部７０３、測色部７０４、データ記憶部７０５、および解析部７０６を備える。
ＬＡＮインタフェース７０１は、図１に示す画像形成装置の本体１０側と通信を行う。
検査制御部７０２は、本体１０側の制御部１００等からの指示に基づいて、スキャナ部７０３で読み取った画像の検査を実行する。また、検査制御部７０２は、必要により測色部７０４が読み取った色の検査を実行する。
【００４４】
データ記憶部７０５には、検査に必要なデータが記憶される。例えば、比較元となる正解画像のデータがデータ記憶部７０５に記憶される。また、検査処理結果もデータ記憶部７０５に記憶される。
解析部７０６は、検査制御部７０２の制御下で、スキャナ部７０３で読み取った画像とデータ記憶部７０５に記憶された正解画像とを比較する解析処理を行う。なお、本例の場合には、用紙に形成された画像全てを解析処理する場合と、用紙の一部の領域（例えば周辺領域）のみを解析処理する場合とがある。
検査制御部７０２は、この解析部７０６での解析結果を判断して、プリンタ部５００で形成された画像に不良があるか否かの判定を行う。検査制御部７０２で判定した検査結果は、データ記憶部７０５に記憶されると共に、ＬＡＮインタフェース７０１を介して図１に示す画像形成装置の本体１０側や情報端末６０にも伝送される。
【００４５】
［２．検査時の処理の流れ］
次に、図４のフローチャートを参照して、本実施の形態例の画像形成装置の検査部４０で検査を行う際の流れについて説明する。
検査部４０は、画像形成装置のプリンタ部５００で用紙に画像形成が行われた後、その画像形成された用紙が検査部４０に搬送されることで、用紙に形成された画像の検査を行う。但し、図１に示すように、本体１０と検査部４０との間に設置された後処理部３０の給紙トレイ３１から給紙された用紙のように、画像形成処理が行われない用紙が検査部４０に供給された場合でも、検査部４０が検査を行うこともある。プリンタ部５００を通過して検査部４０に供給される用紙も、プリンタ部５００で画像形成処理が行われない状態で供給されることがある。但し、これらの画像形成処理が行わずに検査部４０に供給される用紙は、基本的には既に一度画像形成が行われて、排紙トレイ５１または５２から排紙された用紙を、給紙トレイ３１などに装填したものである。
【００４６】
本例の画像形成装置では、一度画像形成が行われて、再度検査部４０に搬送された用紙については、検査部４０は、一度行われた項目の検査を省略して、実施していない項目の検査のみを自動的に行うようした。
すなわち、図４のフローチャートに示すように、検査部４０の検査制御部７０２は、そのときの検査ジョブの実行で後処理部３０から搬送された用紙が、既に検査済みの用紙か否かを判断する（ステップＳ１１）。そして、検査済みの用紙でないと判断したときには（ステップＳ１１のＮＯ）、検査制御部７０２は、スキャナ部７０３で読み取った画像と正解画像とを比較する解析処理を解析部７０６に指示し、通常の検査処理を実行する（ステップＳ１２）。
【００４７】
一方、ステップＳ１１での判断で、検査済みの用紙の再検査であると判断したときは（ステップＳ１１のＹＥＳ）、検査制御部７０２は、該当する過去の検査ジョブの記憶データから、実施済みの検査種別を取得する（ステップＳ１３）。なお、過去の検査ジョブについてのデータは、例えばＨＤＤ６０５（図２）に記憶される。
そして、検査制御部７０２は、ステップＳ１３で取得した実施済みの検査種別以外の検査を行うように検査項目を選択して、解析部７０６に対して該当する項目の検査を実行する（ステップＳ１４）。
【００４８】
図５は、図４のフローチャートのステップＳ１２およびＳ１４での検査状態のイメージを示す図である。
ここでは、図５の上側に示すように、プリンタ部５００で画像形成処理が行われて排紙部５０から排紙された用紙に対して、別の断裁機（不図示）または後処理部３０を使って用紙の縁をラインＬ１に沿って断裁する処理が行われる。
【００４９】
図５の下側は、用紙全体の断裁される領域を示す。
上述したようにラインｌ１に沿って断裁する処理を４辺全てに行うことで、図５の下側に示すように、用紙の４辺の縁がカットされる領域Ｘになり、用紙は、中央の領域Ｙだけが残る。ここで、図５の左下に示すように、カット前の用紙の四隅には、断裁位置を指示する断裁マークＭ１，Ｍ２，Ｍ３，Ｍ４が、プリンタ部５００で画像形成処理時に付与される。
【００５０】
図４のフローチャートのステップＳ１２での検査部４０による１回目の検査時には、領域Ｙに印刷された画像と正解画像との比較処理で、印刷された画像に不良や汚れ等の有無が判断される。また、断裁マークＭ１，Ｍ２，Ｍ３，Ｍ４が正しく印刷されたか否かについても検査で判断される。
一方、図４のフローチャートのステップＳ１２での検査部４０による２回目の検査時には、領域Ｙの検査は実行しない。つまり、領域Ｙに形成された画像の不良や汚れ等の検査は行わない。そして、検査部４０は、領域Ｙの周囲の領域Ｘについて、断裁マークＭ１，Ｍ２，Ｍ３，Ｍ４が残っていないか否かを判断する。ここで、いずれかの断裁マークＭ１，Ｍ２，Ｍ３，Ｍ４の一部でも残っていた場合、検査部４０は、用紙の断裁が適正でないと判断する。
【００５１】
このように、本例の画像形成装置によると、同じ用紙に対して複数回の検査を行う場合、２回目以降の検査については、１回目の検査で行った画像の検査を省略し、周辺部の検査などの後処理で必要になった検査のみを実行するようになる。したがって、検査部４０は、２回目以降の検査時には、スキャナ部７０３で読み取った画像の内の、大部分の面積を占める領域Ｙの検査が実行されず、用紙の周辺部である領域Ｙの検査だけが行われる。これにより、解析部７０６で解析を行う範囲を大幅に小さくすることができる。
このことは、検査部４０での検査に要する処理負担を大幅に低減することができると共に、検査時間についても短時間化を図ることができる。また、検査結果として保存する画像データについても、２回目につては用紙の周辺の画像データのみとなるため、データ保存容量の縮小にも貢献する。
【００５２】
［３．検査ジョブ実行時の画面の例］
図６は、本例の画像形成装置で検査ジョブを実行するときのジョブリストの例を示す。この図６に示す画面は、例えば操作表示部４００のＬＣＤ４０１（図１）に表示される。
図６は、画像形成装置で過去に行った検査ジョブのリストを表示した例を示す。
この図６に示す過去の検査ジョブのリストから、ユーザが特定のリスト項目Ｒ１を選択して、検査制御部７０２は、図４のフローチャートのステップＳ１１で既に検査が実行された用紙の再度の検査であると判断する。
【００５３】
［４．変形例］
なお、図４のフローチャートに示す処理では、２回目以降の検査であるとき、自動的に用紙の周辺の領域の検査を行うようにした。これに対して、過去に検査が行われた用紙の再検査を指示する検査ジョブの実行を指示したときに、裁断マークがある用紙の再検査の指示があったときだけ、用紙周辺の領域の自動検査を行うようにしてもよい。
すなわち、図７のフローチャートに示すように、検査制御部７０２は、検査済み用紙の再検査が指示されたか否かを判断し（ステップＳ２１）、再検査が指示された場合に（ステップＳ２１のＹＥＳ）、裁断マークがある用紙の検査か否かを判断する（ステップＳ２２）。
ここで、裁断マークがある用紙の再検査である場合に（ステップＳ２２のＹＥＳ）、検査制御部７０２は、用紙の周辺に対する検査のみを行うように検査項目を自動的に選択する（ステップＳ２３）。
一方、裁断マークがない用紙の再検査である場合に（ステップＳ２２のＮＯ）、検査制御部７０２は、１回目の検査で実行した検査種別を記憶データから取得し（ステップＳ２４）、１回目の検査で実行した検査種別以外の検査を実行する（ステップＳ２５）。
【００５４】
この図７のフローチャートに示す検査種別の選択処理が行われることで、検査を行う項目が、そのときの履歴に基づいて自動的に適切に設定されるようになる。
なお、図５に示す四隅の断裁マークＭ１１〜Ｍ１４は、一般的には断裁後にこの断裁マークＭ１１〜Ｍ１４がないことが、正しい断裁が行われたと判断するために使用される。これに対して、サイズ規格を明確にするために四隅の断裁マークＭ１１〜Ｍ１４を残して断裁するケースもある。したがって、断裁マークの有無のいずれが正しいと判断するかを切り替えできることが好ましい。
また、図６のような画面で選択された履歴から、どの断裁マークを付加したかを判断し、チェック方法を自動的に切り替えるようにしてもよい。
【００５５】
また、１回目の検査履歴と、同じ用紙に対する２回目の検査履歴は、画面上で関連して表示するようにしてもよい。
すなわち、例えば図８の検査履歴リストを表示した状態で、この履歴リスト内の特定の１つの項目Ｒ２の再検査をユーザが指示したとする。
この指示で再検査を実行し、検査が完了したとき、検査履歴リストとして、図９に示すような表示を行う。ここでは、１回目の検査を示す項目Ｒ２と、同じ用紙に対する２回目の検査を示す項目Ｒ３とを、上下に隣接して表示する。
このように同じ印刷物に対して複数回行った検査を関連付けて検査履歴に表示することで、１回目の検査でチェックされた項目（ここでは「汚れ」）と、２回目の検査でチェックされた項目（ここでは「断裁マーク」）とが、履歴表示から簡単に判るようになる。
【００５６】
また、検査部４０は、それぞれの検査時にスキャナ部７０３が読み取った画像をデータ記憶部７０５が記憶するようにしてもよい。このように読み取った画像を記憶したときには、例えば図９に示す検査履歴画面から、項目Ｒ２または項目Ｒ３の詳細表示がユーザにより選択されたとき、それぞれの検査で読み取った画像を画面上に表示してもよい。
【００５７】
図１０は、２つの検査で読み取った画像を並べて表示した例を示す。図１０の例では、１回目の検査の画像を１次検査Ａ１１として示し、１回目の検査を行った日時ともに表示する。また、２回目の検査の画像を２次検査Ａ１２として示し、２回目の検査を行った日時ともに表示する。
【００５８】
また、上述した実施の形態例では、過去に実行した検査ジョブの再実行で、２回目の検査と判断して、周辺領域の検査などの一部の検査を行うようにした。これに対して、検査実行時の用紙の搬送元の選択で、再検査か否かを判断するようにしてもよい。
【００５９】
図１１は、検査実行時の給紙トレイの選択画面の例を示す。ここでは、画面上に給紙トレイＴ１１〜Ｔ２１の１１個を表示する。ここで、給紙トレイＴ２１については、プリンタ部５００を通過しない給紙トレイ３１（図１）であり、この給紙トレイＴ２１から給紙される用紙を選択して、検査開始ボタンＢ１が押されたとき、検査制御部７０２は、図４のステップＳ１１での判断時に、検査済み用紙の検査であると判断する。
【００６０】
なお、ここまで説明した図６などに示す画面は一例を示すものであり、検査指示時の画面として、その他の構成としてもよい。また、上述した実施の形態例では、検査指示時の画面として、本体１０が備える操作表示部４００が行う例としたが、例えば図１に示す外部の情報端末６０などが同様の画面表示を行うようにしてもよい。
【００６１】
また、上述した実施の形態では、２回目の検査時に行う検査処理として、周辺領域のみの検査としたが、周辺領域以外の検査についても、１回目の検査とは異なる処理を行うようにしてもよい。例えば、１回目の検査については、周辺以外の画像について、精密な検査を行い、２回目の検査時には、精度を落として周辺以外の画像の汚れなどを検知する検査を行うようにしてもよい。
【００６２】
また、上述した実施の形態例では、画像形成装置に接続された検査部４０が、画像形成装置側からの指示で検査を行う構成としたが、例えば上述した実施の形態で説明した検査処理を実行するプログラムを作成して、そのプログラムを既存の画像形成装置に実装することで、既存の画像形成装置が同様の動作を行うようにしてもよい。この場合のプログラムは、例えば、各種記録媒体に記録して、画像形成装置を制御するコンピュータに実装することで実現できる。
また、上述した実施の形態例では、画像形成装置に組み込まれた検査部４０が検査を行う例としたが、画像形成装置とは別体の検査装置が同様の検査処理を行うようにしてもよい。あるいは、図１に示す構成の場合、検査部４０が備える検査制御部７０２（図３）が複数回の検査についての制御を行う代わりに、図２に示す制御部１００側または外部の情報端末６０が、複数回の検査実行時の検査項目などの制御を行うようにしてもよい。
【符号の説明】
【００６３】
１０…本体、２０…給紙部、３０…後処理部、４０…検査部、５０…排紙部、６０…情報端末、１００…制御部、５００…プリンタ部、６００…画像処理部、７０２…検査制御部、７０３…スキャナ部、７０６…解析部
【図１】
2020040346.tif 000003
【図２】
2020040346.tif 000004
【図３】
2020040346.tif 000005
【図４】
2020040346.tif 000006
【図５】
2020040346.tif 000007
【図６】
2020040346.tif 000008
【図７】
2020040346.tif 000009
【図８】
2020040346.tif 000010
【図９】
2020040346.tif 000011
【図１０】
2020040346.tif 000012
【図１１】
2020040346.tif 000013